【手続補正書】
【提出日】平成26年11月21日(2014.11.21)
【手続補正１】
【補正対象書類名】特許請求の範囲
【補正対象項目名】全文
【補正方法】変更
【補正の内容】
【特許請求の範囲】
【請求項１】
動画像に含まれる復号対象ブロックを復号する復号方法であって、
前記対象ブロックが有する第１参照ピクチャリスト又は第２参照ピクチャリストのいずれか一方に含まれる参照ピクチャを１つのみ特定する特定ステップと、
前記特定した参照ピクチャの参照ブロックが有する１つの参照動きベクトルを選択する選択ステップと、
前記選択ステップにおいて選択された１つの参照動きベクトルを用いて、前記対象ブロックの時間動きベクトルを導出する導出ステップと、
前記時間動きベクトルを前記対象ブロックの動きベクトル候補リストに追加する追加ステップと、
前記動きベクトル候補リストから選択した動きベクトルを用いて前記対象ブロックをインター予測することで復号する復号ステップと、を含み、
前記選択ステップでは、
（ｉ）第１の参照ピクチャリストに含まれる前記参照ピクチャに対して、
前記参照ブロックが前記第１の参照ピクチャリストと前記第２の参照ピクチャリストにそれぞれ対応する、第１の参照動きベクトルと第２の参照動きベクトルを有している場合には、前記第２の参照動きベクトルを選択し、前記第１の参照動きベクトルのみを有している場合には、前記第１の参照動きベクトルを選択するように切り替え、
（ｉｉ）前記第２の参照ピクチャリストに含まれる前記参照ピクチャに対して、
前記参照ブロックが前記第１の参照ピクチャリストと前記第２の参照ピクチャリストにそれぞれ対応する、第１の参照動きベクトルと第２の参照動きベクトルを有している場合には、前記第１の参照動きベクトルを選択し、前記第２の参照動きベクトルのみを有している場合には、前記第２の参照動きベクトルを選択するように切り替える
復号方法。
【請求項２】
動画像に含まれる復号対象ブロックを復号する復号装置であって、
前記対象ブロックが有する第１参照ピクチャリスト又は第２参照ピクチャリストのいずれか一方に含まれる参照ピクチャを１つのみ特定する特定部と、
前記特定した参照ピクチャの参照ブロックが有する１つの参照動きベクトルを選択する選択部と、
前記選択部において選択された１つの参照動きベクトルを用いて、前記対象ブロックの時間動きベクトルを導出する導出部と、
前記時間動きベクトルを前記対象ブロックの動きベクトル候補リストに追加する追加部と、
前記動きベクトル候補リストから選択した動きベクトルを用いて前記対象ブロックをインター予測することで復号する復号部と、を備え、
前記選択部は、
（ｉ）第１の参照ピクチャリストに含まれる前記参照ピクチャに対して、
前記参照ブロックが前記第１の参照ピクチャリストと前記第２の参照ピクチャリストにそれぞれ対応する、第１の参照動きベクトルと第２の参照動きベクトルを有している場合には、前記第２の参照動きベクトルを選択し、前記第１の参照動きベクトルのみを有している場合には、前記第１の参照動きベクトルを選択するように切り替え、
（ｉｉ）前記第２の参照ピクチャリストに含まれる前記参照ピクチャに対して、
前記参照ブロックが前記第１の参照ピクチャリストと前記第２の参照ピクチャリストにそれぞれ対応する、第１の参照動きベクトルと第２の参照動きベクトルを有している場合には、前記第１の参照動きベクトルを選択し、前記第２の参照動きベクトルのみを有している場合には、前記第２の参照動きベクトルを選択するように切り替える
復号装置。
【請求項３】
動画像に含まれる復号対象ブロックを復号する復号装置であって、
記憶部と、前記記憶部に接続され、動きベクトル導出処理を実行する１以上のプロセッサとを備え、
前記動きベクトル導出処理は、
前記記憶部に保持されている参照ピクチャであって、前記対象ブロックが有する第１参
照ピクチャリスト又は第２参照ピクチャリストのいずれか一方に含まれる参照ピクチャを１つのみ特定する特定ステップと、
前記特定した参照ピクチャの参照ブロックが有する１つの参照動きベクトルを選択する選択ステップと、
前記選択ステップにおいて選択された１つの参照動きベクトルを用いて、前記対象ブロックの時間動きベクトルを導出する導出ステップと、
前記時間動きベクトルを前記対象ブロックの動きベクトル候補リストに追加する追加ステップと、
前記動きベクトル候補リストから選択した動きベクトルを用いて前記対象ブロックをインター予測することで復号する復号ステップと、を含み、
前記選択ステップでは、
（ｉ）第１の参照ピクチャリストに含まれる前記参照ピクチャに対して、
前記参照ブロックが前記第１の参照ピクチャリストと前記第２の参照ピクチャリストにそれぞれ対応する、第１の参照動きベクトルと第２の参照動きベクトルを有している場合には、前記第２の参照動きベクトルを選択し、前記第１の参照動きベクトルのみを有している場合には、前記第１の参照動きベクトルを選択するように切り替え、
（ｉｉ）前記第２の参照ピクチャリストに含まれる前記参照ピクチャに対して、
前記参照ブロックが前記第１の参照ピクチャリストと前記第２の参照ピクチャリストにそれぞれ対応する、第１の参照動きベクトルと第２の参照動きベクトルを有している場合には、前記第１の参照動きベクトルを選択し、前記第２の参照動きベクトルのみを有している場合には、前記第２の参照動きベクトルを選択するように切り替える
復号装置。
【手続補正２】
【補正対象書類名】明細書
【補正対象項目名】発明の名称
【補正方法】変更
【補正の内容】
【発明の名称】復号方法および復号装置
【手続補正３】
【補正対象書類名】明細書
【補正対象項目名】００１１
【補正方法】変更
【補正の内容】
【００１１】
上記目的を達成するために、本発明の一態様に係る復号方法は、動画像に含まれる復号対象ブロックを復号する復号方法であって、前記対象ブロックが有する第１参照ピクチャリスト又は第２参照ピクチャリストのいずれか一方に含まれる参照ピクチャを１つのみ特定する特定ステップと、前記特定した参照ピクチャの参照ブロックが有する１つの参照動きベクトルを選択する選択ステップと、前記選択ステップにおいて選択された１つの参照動きベクトルを用いて、前記対象ブロックの時間動きベクトルを導出する導出ステップと、前記時間動きベクトルを前記対象ブロックの動きベクトル候補リストに追加する追加ステップと、前記動きベクトル候補リストから選択した動きベクトルを用いて前記対象ブロックをインター予測することで復号する復号ステップと、を含み、前記選択ステップでは、（ｉ）第１の参照ピクチャリストに含まれる前記参照ピクチャに対して、前記参照ブロックが前記第１の参照ピクチャリストと前記第２の参照ピクチャリストにそれぞれ対応する、第１の参照動きベクトルと第２の参照動きベクトルを有している場合には、前記第２の参照動きベクトルを選択し、前記第１の参照動きベクトルのみを有している場合には、前記第１の参照動きベクトルを選択するように切り替え、（ｉｉ）前記第２の参照ピクチャリストに含まれる前記参照ピクチャに対して、前記参照ブロックが前記第１の参照ピクチャリストと前記第２の参照ピクチャリストにそれぞれ対応する、第１の参照動きベクトルと第２の参照動きベクトルを有している場合には、前記第１の参照動きベクトルを選択し、前記第２の参照動きベクトルのみを有している場合には、前記第２の参照動きベクトルを選択するように切り替える。